(57)【要約】      （修正有）【課題】海水の波浪・海水流を上方に噴出することなく、効果的に堤体内で遊動させて消耗させて海水流エネルギーを減衰させる消波堤体の提供。【解決手段】ブロック前部とブロック後部とを中間水平壁で連接した構造の消波ブロックＢを、上下に千鳥状に段積みして海岸に沿って長く配置した消波堤体であって、消波ブロックの海に臨んだ正面に海水流を左右に分ける分水面ＳＦと、同分水面に案内されたブロック左右端部に前後送水路を設け、同前後送水路がブロック後部の前方壁の閉鎖面に当って中間水平壁の側面で案内された上下連通路と絡がり、更に同上下連通路の上下流はその上下段の中間水平壁の水平面に当って左右通水路に沿った左右流れとなり、海水流が前後・上下・左右と変向して、海水流が循環・衝突・合流及びブロック面との当りによってその水流エネルギーを堤体内で強く減衰させる。【選択図】図５
0003213826.tif 000002
【実用新案登録請求の範囲】
【請求項１】
海岸に沿って海に臨んだ同型のブロック前部とブロック後部とを中間水平壁で連接した構造の消波ブロックを多数個左右方向に列設し、又上下方向にも同じ消波ブロックを上下で消波ブロックの上下設置積み位相を１８０°異にするように段積みした消波堤体であって、消波ブロックの海に臨む前記ブロック前部の正面の中間高さ位置に海水流を左右に分ける左右端方向に緩やかに後退した分水面を設け、消波ブロックの左右側部には陥凹部が設けられて前記分水面で誘導された海水を後方へ送るとともに、前面が開口されて前面からの海水が取り込める前後送水路が形成され、同前後送水路は消波ブロックのブロック後部の前方位置で後方への海水流を遮断する閉鎖面が形成され、同閉鎖面の前方の前後送水路の終路空間の上下が開口されて上下連通路が設けられ、しかも同上下連通路は１８０°積み位相をかえた上下段積みの消波ブロックの中間水平壁の水平面に当って、同上下の中間水平壁間に左右通水路が形成され、前記上下連通路の水流は形成された左右通水路で左右方向に分流でき、前記上下通路及び前後送水路と連通するように配置され、正面の分水面及び正面左右側部の開口から進入した海水は前後送水路と，上下連通路と，左右通水路とに流入して衝突しながら分流して循環することで海水の水流エネルギーを減衰させることを特徴とする、消波堤体。
【請求項２】
１８０°積み位相を変えた段積みした上下の消波ブロック間を貫通する貫通孔を複数個設け、同貫通孔にコンクリート杭を貫入させ、又はコンクリートを流し込んで上下左右の消波ブロックを連結できるようにした、請求項１記載の消波堤体。
【請求項３】
貫通孔が左右長Ｌの消波ブロックの左右端からｌｘとｌｚの位置で且つ同じ前後位置で設けられ、しかも上下段の１８０°位相差設置で上下の消波ブロックの左右方向の設置ズレ差をδＬとすると、ｌｘ＋ｌｚ＝Ｌ／２となるように貫通孔位置ｌｘ，ｌｚを決定した、請求項１又は２記載の消波堤体。
【考案の詳細な説明】
【技術分野】
【０００１】
本考案は、上下多段に消波ブロックを段積して、海岸に沿って長く設置され、海水流を消波ブロックの正面から取り込んで、左右上下にある消波ブロック間の通水路を循環・遊動・分流させて海水流の波浪エネルギーを減衰させる消波堤体に関する。又、海中沖の消波堤体としても使用できる技術である。
【背景技術】
【０００２】
消波ブロックを上下に段積し、海岸線に沿って左右方向に長く設置された消波堤体は日本の海岸に広く設置され、海水の波浪エネルギーを低減させて海岸の侵食・破損を防ぐようにしている。
【０００３】
日本海岸には多脚状の消波ブロックを多数個上下左右組み合せた堤体が古くから採用されている。この堤体では多脚状の消波ブロックを上下左右前後に三次元的に組み合せ展開して、多脚の間の空間から海水流を取り込んで、上下左右前後方向に形成された脚空間に水流を遊動させることで波浪エネルギーを減衰させている。しかし、消波ブロックの空隙が上方に開放されているため、海流水が上方に高く噴き上げたり、又は圧縮した空気が上方へ放出させ、海岸環境を悪くしていた。又、海水流・波浪エネルギーの減衰力がまだ弱いという問題点があった。
他の消波堤体としては、特許文献１，２の消波堤体・消波ブロックが知られている。
【０００４】
特許文献１の消波ブロックは、ケーソンという密閉のコンクリート製の大型箱体の前面に、海水進入用スリットを多数設け、このスリットを介して海水流をケーソン内に流入させ、このケーソン内に設置した中詰材で海水の運動エネルギーを減衰させようという技術であるが、ケーソンに進入する海水流のスリットを介して流入する海水流のみであり、その進入した海水流の運動エネルギーは一部である。そして、かなりの海水の水流はケーソンの前面に当って上方・下方又は海中方向に戻され、方向転換するだけで海水流のもつ運動エネルギーを充分に減衰させることができないと判断される。
【０００５】
次に、特許文献２の防波堤体は海中沖で使用されるもので、防波堤体は前後ともに水際部に面していて、一方の水際部から堤体内に進入した海水流は他方の開放された水際部から放出されるもので、前後ともに水際部となって開放されているので、一方の水際部から進入した海水流が堤体内に滞留して、水流同士の強い衝突・海水の左右・上下の移動は他の水際部が開放されているので堤体内に海水流が留まって、水流同士の衝突・分流・合流・コンクリートブロック壁との衝突を繰り返すことが少なく、海水流の減衰力が弱いと判断される。
【先行技術文献】
【特許文献】
【０００６】
【特許文献１】特開平９−５９９５８号公報
【特許文献２】実開昭６３−７６０３１号公報
【考案の概要】
【考案が解決しようとする課題】
【０００７】
本考案が解決しようとする課題は、海水の波浪エネルギー・海水流エネルギーが上方への噴出流を強く生起しないようにして、効果的に打ち寄せる海水流のエネルギーを減衰できる消波堤体を提供することにある。
【課題を解決するための手段】
【０００８】
かかる課題を解決した本考案の構成は、
１）  海岸に沿って海に臨んだ同型のブロック前部とブロック後部とを中間水平壁で連接した構造の消波ブロックを多数個左右方向に列設し、又上下方向にも同じ消波ブロックを上下で消波ブロックの上下設置積み位相を１８０°異にするように段積みした消波堤体であって、消波ブロックの海に臨む前記ブロック前部の正面の中間高さ位置に海水流を左右に分ける左右端方向に緩やかに後退した分水面を設け、消波ブロックの左右側部には陥凹部が設けられて前記分水面で誘導された海水を後方へ送るとともに、前面が開口されて前面からの海水が取り込める前後送水路が形成され、同前後送水路は消波ブロックのブロック後部の前方位置で後方への海水流を遮断する閉鎖面が形成され、同閉鎖面の前方の前後送水路の終路空間の上下が開口されて上下連通路が設けられ、しかも同上下連通路は１８０°積み位相をかえた上下段積みの消波ブロックの中間水平壁の水平面に当って、同上下の中間水平壁間に左右通水路が形成され、前記上下連通路の水流は形成された左右通水路で左右方向に分流でき、前記上下通路及び前後送水路と連通するように配置され、正面の分水面及び正面左右側部の開口から進入した海水は前後送水路と，上下連通路と，左右通水路とに流入して衝突しながら分流して循環することで海水の水流エネルギーを減衰させることを特徴とする、消波堤体
２）  １８０°積み位相を変えた段積みした上下の消波ブロック間を貫通する貫通孔を複数個設け、同貫通孔にコンクリート杭を貫入させ、又はコンクリートを流し込んで上下左右の消波ブロックを連結できるようにした、前記１）記載の消波堤体
３）  貫通孔が左右長Ｌの消波ブロックの左右端からｌｘとｌｚの位置で且つ同じ前後位置で設けられ、しかも上下段の１８０°位相差設置で上下の消波ブロックの左右方向の設置ズレ差をδＬとすると、ｌｘ＋ｌｚ＝Ｌ／２となるように貫通孔位置ｌｘ，ｌｚを決定した、前記１）又は２）記載の消波堤体
にある。
【考案の効果】
【０００９】
本考案によれば、左右の消波ブロックの中央から海水流・波浪を取り込んで海水流はその正面の左右にある後退した分水面で左右に分流され、左右端へ誘導されて前後送水路に流込する。又、この左右端の前後送水路の前面は開口されていて、直接海水流・波浪水がこの前後送水路へ流入する。
そして、前後送水路は消波ブロックのブロック後部の前方位置に形成された閉鎖面で、上下方向の水流となって上下連通路を介して上下水流となる。そして、上下連通路を介して上下の水流は段積みされた上下の消波ブロックの中間水平壁の水平面に当って、左右通水路に入って左又は右方向に流れる。
更に、上下消波ブロックの中間水平壁間の左・右方向の水流は上下連通路からの上下水流及び前後送水路の前後水流と当る。
【００１０】
このように、消波ブロック間の正面・開口・間隙から流入した海水流は前後送水・上下水流・左右水流と水流の方向が変更され、海水流のエネルギーがコンクリートブロック壁との衝突・水流同士の衝突と水流の転向の繰り返しによって効果的に減衰させる。
【００１１】
そして、水流が上方に流れても、上下消波ブロックの中間水平壁で上方への水流の噴出を制限していることで、海水流の噴出及び空気の噴出は大巾に抑えられ、前後・上下・左右の分流によって消波堤体内に流体を封じながら運動エネルギーを減衰させることができる。
【００１２】
又、上下間の消波ブロックを貫通させる貫通孔を設け、この貫通孔に杭又はコンクリートを流し込めれば、消波ブロックの海水流による力で動いたり、段積み位置のズレがなくなり、消波堤体を海岸地盤に安定的に設置できる。
【００１３】
特に、貫通孔の消波ブロックの左右端からの距離ｌｘ，ｌｚを消波ブロックの左右巾Ｌと、上下消波ブロックの設置位相差による変位Ｌ／２として、ｌｘ＋ｌｚ＝Ｌ／２を守れば、上下段積みしても貫通孔の位置を左右方向に一致させることができる。
【図面の簡単な説明】
【００１４】
【図１】図１は本考案の実施例に使用した消波ブロックの正面図である。
【図２】図２は実施例の消波ブロックの背面図である。
【図３】図３は実施例の消波ブロックの右側面図である。
【図４】図４は実施例の消波ブロックの平面図である。
【図５】図５は実施例の消波堤体の正面図である。
【図６】図６は消波ブロック間の前後送水路と上下連通路を示す説明図である。
【図７】図７は上下の消波ブロック間の上下連通路と左右通水路を示す説明図である。
【図８】図８は下左右２段と上１段との消波ブロックの重なりを示す説明図である。
【考案を実施するための形態】
【００１５】
本考案では、段積する消波ブロックＢには上下に貫通する貫通孔を設け、コンクリート杭をその貫通孔に貫通するように打設することが好ましい。できれば、コンクリート杭は最下段の消波ブロックの下方の海岸地盤に深く貫入するようにするのが好ましい。その為には、段積する消波ブロックの貫通孔の前後位置が一致するように消波ブロックＢのブロック前部Ｂ１とブロック後部Ｂ２とにそれぞれ複数の貫通孔を設けることが好ましい。段積位相は１８０°位相差（消波ブロックＢの左右長Ｌの半分）だけずらして千鳥状に配置することが好ましい。即ち、δＬ＝Ｌ／２で、貫通孔の左右端からの左右方向の長さｌｘ，ｌｚがｌｘ＋ｌｚ＝Ｌ／２を満足させることが好ましい。
本考案の堤体の最上段の消波ブロックの上面は、コンクリート版等で閉鎖すれば上方への海水の噴出を防ぐことができ、人が近ずくことが出来る消波堤体となる。海中沖に設置する最上段の消波ブロックの上面は閉鎖せずに弱い上方の海水の噴出を可能にできる。
【実施例】
【００１６】
図１〜７に示す実施例をもって以下説明する。
実施例の消波堤体Ｇを構成するコンクリート製消波ブロックＢの正面の左右長は２．４ｍ，前後長さは４．０ｍである。前後長さ１．８５ｍのブロック前部Ｂ１と、その前部の６割程の長さの１．１５ｍ前後長のブロック後部Ｂ２と、左右１．６ｍ×上下厚み０．８ｍ×前後長さ１．０ｍの中間水平壁Ｂ３とからなっている。又、ブロック後部Ｂ２の背面は垂直面であり、その前方壁Ｂ２１を前後送水路Ｓ１の閉鎖面とした形状である。そして、消波堤体Ｇの上記消波ブロックＢの上下段積みの積み位相は１８０°として、消波ブロックＢの正面長さＬ２．４０ｍ半分のＬ／２＝δＬ＝１．２０ｍだけずらしている。ｌｘ＝ｌｚ＝０．６ｍで、Ｌ／２＝１．２ｍ＝ｌｘ＋ｌｚを満足させている例である。
【００１７】
（図面の符号の説明）
Ｇは本考案の実施例の消波堤体、Ｂは同消波堤体Ｇを構成するコンクリート製で前後長さ４．０ｍ×正面左右長２．４ｍ×高さ１．４ｍの消波ブロック、Ｂ１は同消波ブロックＢの前後長さ１．８５ｍのブロック前部、Ｂ２は同消波ブロックＢの前後長さ１．１５ｍのブロック後部、Ｂ２２はブロック後部Ｂ２の背面で垂直面であり、Ｂ２１はブロック後部Ｂ２の前面の閉鎖面、Ｂ３は消波ブロックＢのブロック前部Ｂ１とブロック後部Ｂ２とを中間で連接する前後長さ１．０ｍの中間水平壁、Ｂ３１は中間水平壁Ｂ３の上・下の水平面、Ｂ３２は中間水平壁Ｂ３の左右の垂直な側面である。ＳＦは消波ブロックＢのブロック前部Ｂ１の正面中間に形成された左右端方向に後退する分水面、Ｓ１は消波ブロックＢの左右端部に形成された前後送水路、Ｓ１０は同前後送水路Ｓ１の前面の開口、Ｓ２は同前後送水路Ｓ１の水流がブロックＢの閉鎖面（前方壁Ｂ２１）へ変向され、隣設の消波ブロックＢの中間水平壁Ｂ３の左右の狭くなった側面Ｂ３２間に形成された上下連通路、Ｓ３は上下連通路Ｓ２の上位・下位に段積した消波ブロックＢの中間水平壁Ｂ３の水平面Ｂ３１に当って変向してその上下段の中間水平壁Ｂ３の水平面Ｂ３１間で形成される左右通水路である。Ｋ１，Ｋ２は消波ブロックＢのブロック前部Ｂ１とブロック後部Ｂ２で左右対称で同じ前後深さ位置に貫通した貫通孔であって、左右端からの貫通孔Ｋ１，Ｋ２の孔中心までの長さｌｘ，ｌｚはｌｘ＝ｌｚ＝０．６ｍ程である。同貫通孔Ｋ１，Ｋ２を貫通させたコンクリート杭は図示していない。
又、Ｌは消波ブロックＢの左右長さで２．４ｍ、上下に段積みした消波ブロックＢの積み位相は１８０°位相差で千鳥状に配置していて、上下の消波ブロックＢの位相差によるブロックのズレ寸法δＬは１．２ｍである。この貫通孔Ｋ１，Ｋ２には、強度の高いコンクリート杭（図示せず）を海岸地盤まで打ち込んで、消波堤体の強度・ズレ防止とする。
【００１８】
（実施例の消波堤体Ｇの消波作用）
消波堤体Ｇの正面から流入する海水流は、各消波ブロックＢの正面の分水面ＳＦによって左右方向分流されて、左右端に形成される前後送水路Ｓ１へ流入する。この前後送水路Ｓ１へは直接その前面の開口Ｓ１０からも流入する。
次に、前後送水路Ｓ１に集められて流入する後方への水流は、ブロック後部Ｂ２の前方の閉鎖面（前方壁Ｂ２１）に当って、上下連通路Ｓ２を介して上下方向に転進し、中間水平壁Ｂ３の上下の水平面Ｂ３１に囲まれた左右通水路Ｓ３へ向う。
【００１９】
ここで、上下連通路Ｓ２の上方には上段の消波ブロックＢの中間水平壁Ｂ３の下面の水平面Ｂ３１があるので、ここに流入してきた水流は直接上方向に高く噴出することなく、一旦左右通水路Ｓ３に転進するので、海水が上方大気中に大きく波浪として高く噴出することはない。
【００２０】
又、ブロック後部Ｂ２の背面Ｂ２２は左右及び上下方向いずれも垂直面で閉鎖されているので、海水が消波ブロックＢを通過することがない。
【００２１】
そして、消波ブロックＢの分水面ＳＦ及び開口Ｓ１０から進入する水流は、前後送水路Ｓ１，上下連通路Ｓ２，左右通水路Ｓ３の間を遊水して水流は互に衝突し、又分水面ＳＦ，閉鎖面（前方壁Ｂ２１），中間水平壁Ｂ３の水平面Ｂ３１等の消波ブロックＢの壁面に衝突しながら海水は運動エネルギーを失って消波される。
そして、上下方向の水流は左右通水路を介すことで、上下方向に大気へ噴出することもなく、上下方向の海水エネルギーを大巾に減衰させる。
【００２２】
よって、本考案によれば上下方向に海水を強く噴出することなく、各水路を循環回遊させることで効果的に消波させることができた。
【００２３】
本考案は海岸での消波堤体であるが、沖の海水での消波堤体としても利用できることは勿論である。
【産業上の利用可能性】
【００２４】
本考案は、海岸の他に水流が激しくなる河川の水のエネルギーの減衰の為にも利用できる。
【符号の説明】
【００２５】
Ｇ    実施例の消波堤体
Ｂ    消波ブロック
Ｂ１    ブロック前部
Ｂ２    ブロック後部
Ｂ２１    前方壁（閉鎖面）
Ｂ２２    背面（垂直面）
Ｂ３    中間水平壁
Ｂ３１    水平面
Ｂ３２    側面
ＳＦ    分水面
Ｓ１    前後送水路
Ｓ１０    開口
Ｓ２    上下連通路
Ｓ３    左右通水路
Ｋ１，Ｋ２    貫通孔
Ｌ    消波ブロックの正面の左右長さ
δＬ    上下の消波ブロックの設置ズレ寸法
ｌｘ，ｌｚ    貫通孔Ｋ１，Ｋ２の左右端からの長さ
【図１】
0003213826.tif 000003
【図２】
0003213826.tif 000004
【図３】
0003213826.tif 000005
【図４】
0003213826.tif 000006
【図５】
0003213826.tif 000007
【図６】
0003213826.tif 000008
【図７】
0003213826.tif 000009
【図８】
0003213826.tif 000010
【手続補正書】
【提出日】平成29年10月3日(2017.10.3)
【手続補正１】
【補正対象書類名】実用新案登録請求の範囲
【補正対象項目名】全文
【補正方法】変更
【補正の内容】
【実用新案登録請求の範囲】
【請求項１】
海岸に沿って海に臨んだ同型のブロック前部とブロック後部とを中間水平壁で連接した構造の消波ブロックを多数個左右方向に列設し、又上下方向にも同じ消波ブロックを上下で消波ブロックの上下設置積み位相を１８０°異にするように段積みした消波堤体であって、消波ブロックの海に臨む前記ブロック前部の正面の中間高さ位置に海水流を左右に分ける左右端方向に緩やかに後退した分水面を設け、消波ブロックの左右側部には陥凹部が設けられて前記分水面で誘導された海水を後方へ送るとともに、前面が開口されて前面からの海水が取り込める前後送水路が形成され、同前後送水路は消波ブロックのブロック後部の前方位置で後方への海水流を遮断する閉鎖面が形成され、同閉鎖面の前方の前後送水路の終路空間の上下が開口されて上下連通路が設けられ、しかも同上下連通路は１８０°積み位相をかえた上下段積みの消波ブロックの中間水平壁の水平面に当って、同上下の中間水平壁間に左右通水路が形成され、前記上下連通路の水流は形成された左右通水路で左右方向に分流でき、前記上下連通路及び前後送水路と連通するように配置され、正面の分水面及び正面左右側部の開口から進入した海水は前後送水路と，上下連通路と，左右通水路とに流入して衝突しながら分流して循環することで海水の水流エネルギーを減衰させることを特徴とする、消波堤体。
【請求項２】
１８０°積み位相を変えた段積みした上下の消波ブロック間を貫通する貫通孔を複数個設け、同貫通孔にコンクリート杭を貫入させ、又はコンクリートを流し込んで上下左右の消波ブロックを連結できるようにした、請求項１記載の消波堤体。
【請求項３】
貫通孔が左右長Ｌの消波ブロックの左右端からｌｘとｌｚの位置で且つ同じ前後位置で設けられ、しかも上下段の１８０°位相差設置で上下の消波ブロックの左右方向の設置ズレ差をδＬとすると、ｌｘ＋ｌｚ＝Ｌ／２＝δＬとなるように貫通孔位置ｌｘ，ｌｚを決定した、請求項１又は２記載の消波堤体。
【手続補正２】
【補正対象書類名】明細書
【補正対象項目名】０００８
【補正方法】変更
【補正の内容】
【０００８】
かかる課題を解決した本考案の構成は、
１）  海岸に沿って海に臨んだ同型のブロック前部とブロック後部とを中間水平壁で連接した構造の消波ブロックを多数個左右方向に列設し、又上下方向にも同じ消波ブロックを上下で消波ブロックの上下設置積み位相を１８０°異にするように段積みした消波堤体であって、消波ブロックの海に臨む前記ブロック前部の正面の中間高さ位置に海水流を左右に分ける左右端方向に緩やかに後退した分水面を設け、消波ブロックの左右側部には陥凹部が設けられて前記分水面で誘導された海水を後方へ送るとともに、前面が開口されて前面からの海水が取り込める前後送水路が形成され、同前後送水路は消波ブロックのブロック後部の前方位置で後方への海水流を遮断する閉鎖面が形成され、同閉鎖面の前方の前後送水路の終路空間の上下が開口されて上下連通路が設けられ、しかも同上下連通路は１８０°積み位相をかえた上下段積みの消波ブロックの中間水平壁の水平面に当って、同上下の中間水平壁間に左右通水路が形成され、前記上下連通路の水流は形成された左右通水路で左右方向に分流でき、前記上下連通路及び前後送水路と連通するように配置され、正面の分水面及び正面左右側部の開口から進入した海水は前後送水路と，上下連通路と，左右通水路とに流入して衝突しながら分流して循環することで海水の水流エネルギーを減衰させることを特徴とする、消波堤体
２）  １８０°積み位相を変えた段積みした上下の消波ブロック間を貫通する貫通孔を複数個設け、同貫通孔にコンクリート杭を貫入させ、又はコンクリートを流し込んで上下左右の消波ブロックを連結できるようにした、前記１）記載の消波堤体
３）  貫通孔が左右長Ｌの消波ブロックの左右端からｌｘとｌｚの位置で且つ同じ前後位置で設けられ、しかも上下段の１８０°位相差設置で上下の消波ブロックの左右方向の設置ズレ差をδＬとすると、ｌｘ＋ｌｚ＝Ｌ／２＝δＬとなるように貫通孔位置ｌｘ，ｌｚを決定した、前記１）又は２）記載の消波堤体
にある。